(57)【特許請求の範囲】
【請求項１】
ホームネットワークに接続して使用され、通常スタンバイ状態、ホットスタンバイ状態および電源オン状態を有する電子機器であって、
前記通常スタンバイ状態である場合に前記ホームネットワークに接続されている他の電子機器から電源投入通知を受けると、前記通常スタンバイ状態から前記ホットスタンバイ状態に遷移するかどうかを判断し、判断結果に基づいてホットスタンバイ状態遷移通知を送出するネットワーク監視部と；
前記ネットワーク監視部からの前記ホットスタンバイ状態遷移通知に基づいて電源供給制御を行い、前記電子機器の状態を前記通常スタンバイ状態から前記ホットスタンバイ状態に状態を遷移する電源制御部と；
前記ホットスタンバイ状態から前記電源オン状態に遷移したかどうかの履歴である起動制御履歴を記録する起動履歴記録部と；
を含み、
前記ネットワーク監視部は、前記起動履歴記録部に記録された起動制御履歴に基づいてホットスタンバイ状態に遷移するかどうかを判断することを特徴とする、電子機器。
【請求項２】
前記電源制御部は、ホットスタンバイ状態に遷移してから所定の時間以内に電源オン状態に遷移しなければ、ホットスタンバイ状態からスタンバイ状態に状態を遷移させることを特徴とする、請求項１に記載の電子機器。
【請求項３】
前記ホットスタンバイ状態は、前記電子機器がそれぞれ有する特有の機能を提供するための部位に通電が行われ、該機能の提供の準備ができている状態であることを特徴とする、請求項１に記載の電子機器。
【請求項４】
前記ホットスタンバイ状態は、前記機能を提供するための初期設定処理が完了した状態であることを特徴とする、請求項３に記載の電子機器。
【請求項５】
ホームネットワークに接続して使用され、通常スタンバイ状態、ホットスタンバイ状態および電源オン状態を有する電子機器の起動方法であって、
前記ホットスタンバイ状態から前記電源オン状態に遷移したかどうかの履歴である起動制御履歴を記録する起動履歴記録ステップと；
通常スタンバイ状態である場合に前記ホームネットワークに接続されている他の電子機器から電源投入通知を受けると通常スタンバイ状態からホットスタンバイ状態に遷移するかどうかを判断し、判断結果に基づいてホットスタンバイ状態遷移通知を送出するネットワーク監視ステップと；
前記ネットワーク監視ステップで送出されるホットスタンバイ状態遷移通知に基づいて電源供給制御を行う電源制御ステップと；
前記電源制御ステップにおける電源供給制御に基づいて通常スタンバイ状態からホットスタンバイ状態に状態を遷移するシステム制御ステップと；
を含み、
前記ネットワーク監視部ステップは、前記起動履歴記録ステップで記録された起動制御履歴に基づいてホットスタンバイ状態に遷移するかどうかを判断することを特徴とする、電子機器の起動方法。
【請求項６】
ホームネットワークに接続して使用され、通常スタンバイ状態、ホットスタンバイ状態および電源オン状態を有する電子機器を起動させるためのコンピュータプログラムであって、
前記ホットスタンバイ状態から前記電源オン状態に遷移したかどうかの履歴である起動制御履歴を記録する起動履歴記録ステップと；
通常スタンバイ状態である場合に前記ホームネットワークに接続されている他の電子機器から電源投入通知を受けると通常スタンバイ状態からホットスタンバイ状態に遷移するかどうかを判断し、判断結果に基づいてホットスタンバイ状態遷移通知を送出するネットワーク監視ステップと；
前記ネットワーク監視ステップで送出されるホットスタンバイ状態遷移通知に基づいて電源供給制御を行う電源制御ステップと；
前記電源制御ステップにおける電源供給制御に基づいて通常スタンバイ状態からホットスタンバイ状態に状態を遷移するシステム制御ステップと；
を含み、
前記ネットワーク監視部ステップは、前記起動履歴記録ステップで記録された起動制御履歴に基づいてホットスタンバイ状態に遷移するかどうかを判断することを特徴とする、コンピュータプログラム。
【発明の詳細な説明】
【技術分野】
【０００１】
本発明は、電子機器、電子機器の起動方法およびコンピュータプログラムに関し、特にホームネットワークに接続される電子機器、電子機器の起動方法および電子機器を起動させるためのコンピュータプログラムに関する。
【背景技術】
【０００２】
近年では、パーソナルコンピュータのみならず、テレビやハードディスク録画機、ホームターミナルといった家電製品においても、ネットワークに接続することが出来る製品が多数登場している。そして、パーソナルコンピュータや家電製品を相互にネットワークに接続することで、デジタル放送や音楽（これらを「コンテンツ」とも称する）を機器間でやりとりすることが可能となる。
【０００３】
このような、デジタル放送を受信するテレビやハードディスクレコーダ等のデジタル家電機器は、機器の機能が複雑化する傾向にある。従って、このようなデジタル家電機器は、電源を入れるための電源ボタンの押下から実際に機器が使用可能となるまでの時間が長くなる傾向にある。
【０００４】
例えば、テレビの場合では電源ボタンが押下されてから画面に映像を表示するまでに、機器の初期設定、メモリからの各種プログラムのロード、受信したデジタル放送のデコード等を行う必要がある。従って、テレビの場合では電源ボタンを押下してから画面に映像が表示されるまでに５秒程度の時間を有する。
【０００５】
また、ハードディスクレコーダのようにディスクデバイスを有するものは、ディスクのマウントを行う必要があるために、起動処理が完了して実際に使用可能な状態となるまでにさらに長い時間を有する。製品によっては電源ボタンを押下してから使用可能となるまでに２０秒以上の起動時間が必要となるものもある。
【０００６】
このようなデジタル家電機器の起動時間を短縮するためには、当該デジタル家電機器が有する機能をユーザに即座に提供できる準備ができている状態にしておくことで可能である。しかし、デジタル家電機器を常にそのような状態にしておくことは、電力を消費し続ける事となって消費電力の面で問題となる。
【０００７】
そのため、ユーザの何らかの動作をトリガとして、また機器に対するユーザの過去の操作履歴から起動時刻を推測して、デジタル家電機器の起動時間を短縮するために、当該デジタル家電機器が有する機能をユーザに即座に提供できる準備ができている状態に遷移する技術がある（例えば特許文献１、２参照）。
【０００８】
【特許文献１】特開２００７−６０２２３号公報
【特許文献２】国際公開第２００４／０９２９３４号
【発明の開示】
【発明が解決しようとする課題】
【０００９】
しかし、ユーザの過去の操作履歴から起動時刻を推測する方法は、内部に時計を持たない機器には適用できない問題がある。また、ユーザの動作をトリガとする方法は、ユーザが電源を投入したくない場合であっても状態の遷移が行われてしまうおそれがある。
【００１０】
そこで、本発明は、上記問題に鑑みてなされたものであり、本発明の目的とするところは、他の電子機器が起動されたことをトリガとして、電子機器が有する機能をユーザに提供できる準備ができており、機器が有する機能をユーザに即座に提供できる状態に遷移させることで、当該電子機器の体感的な起動時間を短縮することが可能な、新規かつ改良された、ホームネットワークに接続して使用される電子機器、電子機器の起動方法およびコンピュータプログラムを提供することにある。
【課題を解決するための手段】
【００１１】
上記課題を解決するために、本発明のある観点によれば、ホームネットワークに接続して使用され、通常スタンバイ状態、ホットスタンバイ状態および電源オン状態を有する電子機器であって、通常スタンバイ状態である場合にホームネットワークに接続されている他の電子機器から電源投入通知を受けると、通常スタンバイ状態からホットスタンバイ状態に遷移するかどうかを判断し、判断結果に基づいてホットスタンバイ状態遷移通知を送出するネットワーク監視部と、ネットワーク監視部からのホットスタンバイ状態遷移通知に基づいて電源供給制御を行い、電子機器の状態を通常スタンバイ状態からホットスタンバイ状態に状態を遷移する電源制御部と、を含むことを特徴とする、電子機器が提供される。
【００１２】
かかる構成によれば、ネットワーク監視部は通常スタンバイ状態である場合にホームネットワークに接続されている他の電子機器から電源投入通知を受けると、通常スタンバイ状態からホットスタンバイ状態に遷移するかどうかを判断し、判断結果に基づいてホットスタンバイ状態遷移通知を送出し、電源制御部はネットワーク監視部からのホットスタンバイ状態遷移通知に基づいて電源供給制御を行い、電子機器の状態を通常スタンバイ状態からホットスタンバイ状態に状態を遷移する。その結果、ホームネットワークに接続されている他の機器の電源投入をトリガとして、電子機器が有する機能をユーザに提供できる準備ができている状態、つまりホットスタンバイ状態に遷移させることで、当該電子機器の体感的な起動時間を短縮することが可能となる。
【００１３】
上記電子機器は、ホットスタンバイ状態から電源オン状態に遷移したかどうかの履歴である起動制御履歴を記録する起動履歴記録部をさらに含み、ネットワーク監視部は、起動履歴記録部に記録された起動制御履歴に基づいてホットスタンバイ状態に遷移するかどうかを判断してもよい。かかる構成によれば、起動履歴記録部は起動制御履歴を記録し、ネットワーク監視部は、起動履歴記録部に記録された起動制御履歴に基づいてホットスタンバイ状態に遷移するかどうかを判断する。その結果、ホームネットワークに接続されている他の機器の電源投入をトリガとしてホットスタンバイ状態に遷移した後に、実際に電源を投入したかどうかの履歴を記録しておき、当該履歴に基づいてホットスタンバイに遷移するかどうかを判断することで、例えば関連した機器の電源投入が行われればホットスタンバイ状態に遷移し、関連しない機器の電源投入が行われればホットスタンバイ状態には遷移しないように制御することができる。
【００１４】
電源制御部は、ホットスタンバイ状態に遷移してから所定の時間以内に電源オン状態に遷移しなければ、ホットスタンバイ状態から通常スタンバイ状態に状態を遷移させてもよい。かかる構成によれば、電源制御部は、ホットスタンバイ状態に遷移してから所定の時間以内に電源オン状態に遷移しなければ、ホットスタンバイ状態から通常スタンバイ状態に状態を遷移させる。その結果、いつまでもホットスタンバイ状態を維持するのではなく、所定の時間が経過すれば通常スタンバイ状態に遷移することで、電力消費を抑えることができる。
【００１５】
ホットスタンバイ状態は、電子機器がそれぞれ有する特有の機能を提供するための部位に通電が行われ、該機能の提供の準備ができている状態であってもよい。
【００１６】
そして、ホットスタンバイ状態は、機能を提供するための初期設定処理が完了した状態であってもよい。
【００１７】
また、上記課題を解決するために、本発明の別の観点によれば、ホームネットワークに接続して使用され、通常スタンバイ状態、ホットスタンバイ状態および電源オン状態を有する電子機器の起動方法であって、通常スタンバイ状態である場合にホームネットワークに接続されている他の電子機器から電源投入通知を受けると通常スタンバイ状態からホットスタンバイ状態に遷移するかどうかを判断し、判断結果に基づいてホットスタンバイ状態遷移通知を送出するネットワーク監視ステップと、ネットワーク監視ステップで送出されるホットスタンバイ状態遷移通知に基づいて電源供給制御を行う電源制御ステップと、電源制御ステップにおける電源供給制御に基づいて通常スタンバイ状態からホットスタンバイ状態に状態を遷移するシステム制御ステップと、を含むことを特徴とする、電子機器の起動方法が提供される。
【００１８】
かかる構成によれば、ネットワーク監視ステップは通常スタンバイ状態である場合にホームネットワークに接続されている他の電子機器から電源投入通知を受けると、通常スタンバイ状態からホットスタンバイ状態に遷移するかどうかを判断し、判断結果に基づいてホットスタンバイ状態遷移通知を送出し、電源制御ステップはネットワーク監視ステップにおけるホットスタンバイ状態遷移通知に基づいて電源供給制御を行い、電子機器の状態を通常スタンバイ状態からホットスタンバイ状態に状態を遷移する。その結果、ホームネットワークに接続されている他の機器の電源投入をトリガとして、電子機器が有する機能をユーザに提供できる準備ができている状態、つまりホットスタンバイ状態に遷移させることで、当該電子機器の体感的な起動時間を短縮することが可能となる。
【００１９】
また、上記課題を解決するために、本発明のさらに別の観点によれば、ホームネットワークに接続して使用され、通常スタンバイ状態、ホットスタンバイ状態および電源オン状態を有する電子機器を起動させるためのコンピュータプログラムであって、通常スタンバイ状態である場合にホームネットワークに接続されている他の電子機器から電源投入通知を受けると通常スタンバイ状態からホットスタンバイ状態に遷移するかどうかを判断し、判断結果に基づいてホットスタンバイ状態遷移通知を送出するネットワーク監視ステップと、ネットワーク監視ステップで送出されるホットスタンバイ状態遷移通知に基づいて電源供給制御を行う電源制御ステップと、電源制御ステップにおける電源供給制御に基づいて通常スタンバイ状態からホットスタンバイ状態に状態を遷移するシステム制御ステップと、を含むことを特徴とする、コンピュータプログラムが提供される。
【００２０】
かかる構成によれば、ネットワーク監視ステップは通常スタンバイ状態である場合にホームネットワークに接続されている他の電子機器から電源投入通知を受けると、通常スタンバイ状態からホットスタンバイ状態に遷移するかどうかを判断し、判断結果に基づいてホットスタンバイ状態遷移通知を送出し、電源制御ステップはネットワーク監視ステップにおけるホットスタンバイ状態遷移通知に基づいて電源供給制御を行い、電子機器の状態を通常スタンバイ状態からホットスタンバイ状態に状態を遷移する。その結果、ホームネットワークに接続されている他の機器の電源投入をトリガとして、電子機器が有する機能をユーザに提供できる準備ができている状態、つまりホットスタンバイ状態に遷移させることで、当該電子機器の体感的な起動時間を短縮することが可能となる。
【発明の効果】
【００２１】
以上説明したように本発明によれば、他の電子機器の起動をトリガとして、電子機器が有する機能をユーザに提供できる準備ができており、機器が有する機能をユーザに即座に提供できる状態に遷移させることで、当該電子機器の体感的な起動時間を短縮することが可能な、新規かつ改良された、ホームネットワークに接続して使用される電子機器、電子機器の起動方法およびコンピュータプログラムを提供することができる。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
まず、本発明の一実施形態にかかる電子機器の接続構成の例について説明する。図１は、本発明の一実施形態にかかる電子機器の接続構成の例について説明する説明図である。
【００２４】
図１では、いずれも本発明のホームネットワークに接続して使用される電子機器の例である、テレビ１００、スピーカ１０２、ハードディスクレコーダ１０４、コンポ１０６を、ホームネットワーク１０に接続した場合を示している。この中で、テレビ１００、ハードディスクレコーダ１０４およびコンポ１０６はホームネットワーク１０に直接接続されており、スピーカ１０２はホームネットワーク１０には直接接続されておらず、テレビ１００とネットワークで接続されている。
【００２５】
なお、図１には図示しないが、ホームネットワーク１０はスイッチングハブ等によってインターネット等の外部のネットワークに接続することもできる。スイッチングハブを用いることにより、インターネット等の外部ネットワークとホームネットワーク１０に接続されたそれぞれの機器との間でデータの送受信が可能になる。
【００２６】
上述したように、テレビ１００は電源ボタン（図示せず）が押下されてから画面に映像を表示するまでに、機器の初期設定、メモリからの各種プログラムのロード、アンテナを介して受信したデジタル放送のデコード等を行う必要がある。従って、テレビ１００は電源ボタンを押下してから画面に映像が表示されるまでに、通常５秒程度の時間を有する。
【００２７】
ここで、テレビ１００は他の機器の電源が投入されると、当該電子機器から電源投入通知を受けて、状態を「通常スタンバイ状態」から「ホットスタンバイ状態」とすることで、電源ボタンを押下してから画面に映像が表示されるまでの時間を短縮することができる。「通常スタンバイ状態」も「ホットスタンバイ状態」も、本発明の一実施形態にかかる電子機器の電源状態の一種であり、ここで、本発明の一実施形態にかかる電子機器の電源状態について説明する。
【００２８】
図２は、本発明の一実施形態にかかる電子機器の電源状態を説明する説明図である。本発明の一実施形態にかかる電子機器は、コンセントが接続されていない「非通電状態」と、コンセントが接続されている「通電状態」の２つの状態を有する。そして、「通電状態」はさらに、「通常スタンバイ状態」、「ホットスタンバイ状態」および「電源ＯＮ状態」の３つの状態を有している。
【００２９】
「通常スタンバイ状態」は、電子機器の内部の必要最低限の部位にのみ通電が行われており、外部からのトリガを受けられる状態のことを指す。例えばテレビ１００では、リモコンで電源をオフにして、画面が消えている状態が通常スタンバイ状態に相当する。
【００３０】
「ホットスタンバイ状態」は、電子機器がそれぞれ有している特有の機能を提供するための、電子機器の内部の部位に通電が行われ、機能の提供の準備ができている状態のことを指す。ホットスタンバイ状態を取るために電子機器のどの部位に通電を行うかは、機器によって異なる。また、ホットスタンバイ状態となるためには、機能を提供するための初期設定処理を完了してあることが望ましく、例えばデバイスの初期化やディスクのマウントが完了した状態であることが望ましい。そして「電源ＯＮ状態」は、電子機器がそれぞれ有している機能を実現する全ての部位に通電が行われており、ユーザに電子機器が有している特有の機能を提供している状態のことを指す。
【００３１】
以下においては、テレビ１００を例に挙げて、本発明の一実施形態にかかる電子機器の起動方法について説明する。
【００３２】
次に、本発明の一実施形態にかかる電子機器の一例であるテレビ１００について説明する。図３は、本発明の一実施形態にかかるテレビ１００構成について説明する説明図である。以下、図３を用いて本発明の一実施形態にかかるテレビ１００の構成について説明する。
【００３３】
図３に示したように、本発明の一実施形態にかかるテレビ１００は、システム部１１０と、ＣＰＵ（Ｃｅｎｔｒａｌ  Ｐｒｏｃｅｓｓｉｎｇ  Ｕｎｉｔ）１２２と、ＲＯＭ（Ｒｅａｄ  Ｏｎｌｙ  Ｍｅｍｏｒｙ）１２４と、ＲＡＭ（Ｒａｎｄｏｍ  Ａｃｃｅｓｓ  Ｍｅｍｏｒｙ）１２６と、受光部１２８と、電源回路１３０と、電源制御部１３２と、通信部１３４と、ネットワーク監視部１３６と、を含んで構成される。そしてシステム部１１０は、デジタル放送チューナ部１１２と、電子番組表作成部１１４と、デジタル放送デコード部１１６と、モニタ１１８と、スピーカ１２０と、を含んで構成される。
【００３４】
システム部１１０は、テレビ１００の機能の中核をなす部分であり、デジタル放送波の受信、受信したデジタル放送波のデコード、受信したデジタル放送波からの電子番組表（ＥＰＧ）の作成、デコードしたデジタル放送の出力等の機能を有する。
【００３５】
デジタル放送チューナ部１１２は、デジタル放送波を受信し、ユーザの選局指示に従って所望するＭＰＥＧ（Ｍｏｖｉｎｇ  Ｐｉｃｔｕｒｅ  Ｅｘｐｅｒｔｓ  Ｇｒｏｕｐ）トランスポートストリームを抽出するものである。デジタル放送チューナ部１１２は、図示しないが、ＶＳＢ（Ｖｅｓｔｉｇｉｔａｌ  Ｓｉｄｅ  Ｂａｎｄ）復調部やＱＡＭ（Ｑｕａｄｒａｔｕｒｅ  Ａｍｐｌｉｔｕｄｅ  Ｍｏｄｕｌａｔｉｏｎ）復調部を備えており、デジタル放送波の復調を行う。
【００３６】
電子番組表作成部１１４は、デジタル放送波に搬送されて送られる放送局からの電子番組表（ＥＰＧ）データに基づいて、電子番組表の作成を行うものである。作成した電子番組表は、ユーザの指示によってモニタ１１８に表示される。
【００３７】
デジタル放送デコード部１１６は、デジタル放送チューナ部１１２で抽出したＭＰＥＧトランスポートストリームに対してデコード処理を行い、映像データ及び音声データを出力するものである。映像データはモニタ１１８に、音声データはスピーカ１２０にそれぞれ出力する。
【００３８】
モニタ１１８は、デジタル放送デコード部１１６でデコードされた映像データや、電子番組表作成部１１４で作成された電子番組表を表示するものである。スピーカ１２０は、デジタル放送デコード部１１６でデコードされた音声データを出力するものである。
【００３９】
なお、図２ではデジタル放送波を受信するテレビ１００を例に挙げて説明したが、デジタル放送波と併せてアナログ放送波を受信してもよい。
【００４０】
ＣＰＵ１２２は、テレビ１００の各部の制御を行うものであり、ＲＯＭ１２４からコンピュータプログラムやデータを順次読み込んで実行することで、テレビ１００の各部の制御を行う。ＲＯＭ１２４は、読み取り専用のメモリであり、テレビ１００の動作に必要となるコンピュータプログラムや各種データが格納されるものである。ＲＡＭ１２６は、書き換えが可能なメモリであり、テレビ１００の動作に用いられる各種データが格納される。ＲＡＭ１２６は、本発明の起動履歴記録部の一例であり、どの機器の電源が投入された場合にテレビ１００が通常スタンバイ状態からホットスタンバイ状態に遷移したかを記録しておく。そのため、ＲＡＭ１２６はテレビ１００の電源が入っていない状態でもデータが消去しない不揮発性のメモリであることが望ましい。
【００４１】
受光部１２８は、リモコンからの赤外線信号を受信し、受信した信号に基づいてＣＰＵ１２２や電源回路１３０との通信を行う。電源回路１３０は、テレビ１００の各部への電源供給および電源供給の停止を行う。電源制御部１３２は、電源回路１３０からの電源供給および電源供給の停止の制御を行うものである。本実施形態においては、電源制御部１３２は、ホームネットワークに接続されている他の機器の電源が投入されると、テレビ１００の一部に対して電源を供給するように電源回路１３０を制御する。
【００４２】
通信部１３４は、ホームネットワークを通じてデータの授受を行うものである。通信部１３４は、シリアル接続、ＨＤＭＩ−ＣＥＣ（Ｈｉｇｈ−Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）、無線ＩＰ（Ｉｎｔｅｒｎｅｔ  Ｐｒｏｔｏｃｏｌ）接続、ＥｔｈｅｒＮｅｔ（商標）、ＰＬＣ伝送など、複数のネットワークから情報を取得するインターフェースを有する。
【００４３】
ホームネットワークに接続される機器は、電源を投入した際に、電源が投入されたことを通知するためのデータをホームネットワーク上に送出する。例えば、ＨＤＭＩ−ＣＥＣでは機器の電源が投入された場合に電源の投入を通知するためのプロトコルが存在する。
【００４４】
ネットワーク監視部１３６は、通信部１３４が受信したデータに、他の機器からの電源投入を通知するデータが含まれているかどうかを監視するものである。そして、他の機器からの電源投入を通知するデータが送られてきた場合には、所定の条件に合致したときにテレビ１００をホットスタンバイ状態に遷移させる。所定の条件とは、例えば所定の機器の電源が投入された場合であってもよく、本実施形態においては、ハードディスクレコーダ１０４の電源が投入された場合にはテレビ１００をホットスタンバイ状態に遷移させ、コンポ１０６の電源が投入された場合にはテレビ１００をホットスタンバイ状態に遷移させない、という条件を定めることができる。
【００４５】
なお、機器間でやりとりされる制御信号のプロトコルは、ホームネットワーク機器同士の取り決めで決まるものであって、任意のプロトコルを用いることができ、本発明においてはプロトコルは特定のものに限られるものではない。
【００４６】
以上、本発明の一実施形態にかかるテレビ１００の構成について説明した。次に、本発明の一実施形態にかかるテレビ１００の起動方法について説明する。
【００４７】
図４は、本発明の一実施形態にかかるテレビ１００の起動方法について説明する流れ図である。以下、図４を用いて本発明の一実施形態にかかるテレビ１００の起動方法について説明する。
【００４８】
まず、ネットワーク監視部１３６で、ホームネットワークに接続されている他の機器からの電源投入を監視する。そして、ホームネットワークに接続されている他の機器からの電源投入を検知すると（ステップＳ１０２）、ネットワーク監視部１３６は、当該他の機器の電源投入をトリガとして、ＲＡＭ１２６に格納されている起動制御履歴を参照する（ステップＳ１０４）。起動制御履歴は、当該機器がホットスタンバイ状態に遷移した場合に、実際にホットスタンバイ状態から電源オン状態に遷移したかどうかの履歴である。起動制御履歴を参照することで、ネットワーク監視部１３６から電源制御部１３２に対して、システム部１１０に通電するかどうかを判断することができる。
【００４９】
図５は、本発明の一実施形態にかかる、ＲＡＭ１２６に格納されている起動制御履歴の一例を示す説明図である。図５は、テレビ１００とホームネットワークで接続されている各機器の電源がオンとなった場合に、テレビ１００の状態がホットスタンバイ状態に遷移してから実際にテレビ１００の電源がオンになった確率を示している。このように、ホットスタンバイ状態に遷移した確率を記録しておくことで、テレビ１００の状態がホットスタンバイ状態に遷移させるかどうかの判断に用いることができる。
【００５０】
図５に示した例では、機器Ａ（スピーカ１０２）の電源がオンになった場合に、テレビ１００の状態がホットスタンバイ状態に遷移した後に、実際にテレビ１００の電源がオンになった確率が２％であることを示している。また、機器Ａと機器Ｂ（ハードディスクレコーダ１０４）の電源がオンになった場合に、テレビ１００の状態がホットスタンバイ状態に遷移した後に、実際にテレビ１００の電源がオンになった確率が３８％であることを示している。
【００５１】
その他、機器Ｂと機器Ｃ（コンポ１０６）の電源がオンになった場合に、テレビ１００の状態がホットスタンバイ状態に遷移した後に、実際にテレビ１００の電源がオンになった確率が３５％であることを示し、機器Ｂのみの電源がオンになった場合に、テレビ１００の状態がホットスタンバイ状態に遷移した後に、実際にテレビ１００の電源がオンになった確率が３３％であることを示し、機器Ｃのみの電源がオンになった場合に、テレビ１００の状態がホットスタンバイ状態に遷移した後に、実際にテレビ１００の電源がオンになった確率が０．１％であることを示している。
【００５２】
このように起動制御履歴が記録されている場合に、予め定めた確率以上であれば、当該機器の電源がオンになったときにテレビ１００の状態をホットスタンバイ状態に遷移すると定めてもよい。例えば、ホットスタンバイ状態から電源オンを行った確率が３０％以上であれば、当該機器の電源がオンになった場合にテレビ１００の状態をホットスタンバイ状態に遷移するように定めてもよい。
【００５３】
なお、ホットスタンバイ状態に遷移するか否かの判断を行うかどうかを、外部から設定できるようにしてもよい。例えばテレビ１００の設定画面に、ホットスタンバイ状態に遷移するか否かの判断を行うかどうかを設定する項目を設け、テレビ１００の本体やリモコンを操作することで設定を行い、設定結果をＲＡＭ１２６に格納してもよい。
【００５４】
ネットワーク監視部１３６で起動制御履歴を参照した結果、テレビ１００をホットスタンバイ状態に遷移させるかどうかを判断する（ステップＳ１０６）。判断の結果、テレビ１００の状態をホットスタンバイ状態に遷移させないと判断した場合には、そのまま処理を終了する。一方、判断の結果、テレビ１００の状態をホットスタンバイ状態に遷移させると判断した場合には、電源制御部１３２に対して、システム部１１０に通電するような命令を与える。命令を受けた電源制御部１３２は、システム部１１０に通電する（ステップＳ１０８）。
【００５５】
電源制御部１３２からシステム部１１０に通電することで、テレビ１００はホットスタンバイ状態を取る（ステップＳ１１０）。ここで、テレビ１００におけるホットスタンバイ状態とは、デバイスの初期化等の初期設定、放送波の受信およびデコード、電子番組表の作成が含まれ、モニタ１１８およびスピーカ１２０への通電は含まれない。
【００５６】
システム部１１０は、テレビ１００の状態をホットスタンバイ状態に遷移させるような電源制御部１３２での電源制御に基づく電源回路１３０からの通電によって電力の供給を受ける。
【００５７】
システム部１１０は、電源回路１３０から電力の供給を受けると、デジタル放送チューナ部１１２でデジタル放送波を受信して、ユーザが電源を切断する前に選択していたチャンネルに該当するＭＰＥＧトランスポートストリームを抽出する。デジタル放送チューナ部１１２でＭＰＥＧトランスポートストリームを抽出すると、デジタル放送デコード部１１６で抽出したＭＰＥＧトランスポートストリームに対してデコード処理を行い、電子番組表作成部１１４で、デジタル放送波に搬送されて送られる放送局からの電子番組表データに基づいて、電子番組表の作成を行う。
【００５８】
このように、テレビ１００の状態を、モニタ１１８およびスピーカ１２０に通電すれば放送の視聴が可能な状態、すなわちホットスタンバイ状態にしておくことで、テレビ１００の見た目の起動時間を短縮することができる。テレビ１００の状態がホットスタンバイ状態となっている場合において、ユーザがリモコン等でテレビ１００の電源をオンにする指示を与えたときに、モニタ１１８およびスピーカ１２０に通電することで、ユーザがテレビ１００の電源をオンにする指示を与えてからモニタ１１８に映像を表示するまでの時間を短縮することが出来る。
【００５９】
テレビ１００をホットスタンバイ状態に遷移させると、ネットワーク監視部１３６はＲＡＭ１２６に格納されている起動制御履歴を更新する（ステップＳ１１２）。起動制御履歴を更新しておくことで、次にホームネットワークに接続されている他の機器からの電源投入を検知した場合に、更新した起動制御履歴を参照してテレビ１００をホットスタンバイ状態に遷移させるかどうかを判断することができる。
【００６０】
以上、図４を用いて本発明の一実施形態にかかるテレビ１００の起動方法について説明した。
【００６１】
なお、本実施形態においては、テレビ１００はホームネットワークに接続されている他の機器の電源オンに連動して、テレビ１００の状態をホットスタンバイ状態に遷移させるものであるが、ホットスタンバイ状態は、通常スタンバイ状態と比較して消費電力が高くなってしまう。従って、ホットスタンバイ機能に遷移したのち、所定の時間ユーザから電源オン操作が行われなかった場合は、自動的にシステム部１１０への電力供給を取りやめて、通常スタンバイ状態に戻ることが望ましい。
【００６２】
本実施形態では、テレビ１００が同一のホームネットワークに接続されている他の機器からの電源投入を検知して、テレビ１００の状態をホットスタンバイ状態に遷移させていたが、テレビ１００以外の機器であっても、同一のホームネットワークに接続されている他の機器からの電源投入を検知して、当該機器の状態をホットスタンバイ状態に遷移させるような構成を有することができる。
【００６３】
例えば、ハードディスクレコーダ１０４の場合であれば、電源を投入してから実際に使用可能となるまでに、デバイスの初期化処理、メモリのマウント処理、プログラムの展開処理、ハードディスクの起動処理等の処理を行う必要がある。従って、例えばテレビ１００の電源が投入されたことをハードディスクレコーダ１０４で検知して、ハードディスクレコーダ１０４においてデバイスの初期化処理、メモリのマウント処理、プログラムの展開処理、ハードディスクの起動処理等の処理を行ってホットスタンバイ状態を取ることで、ハードディスクレコーダ１０４の見た目の起動時間を短縮することが可能となる。
【００６４】
また、コンポ１０６の場合であれば、電源を投入してから実際に使用可能となるまでに、デバイスの初期化処理、メモリのマウント処理、プログラムの展開処理等の処理を行う必要がある。従って、例えばスピーカ１０２の電源が投入されたことをコンポ１０６で検知して、コンポ１０６においてデバイスの初期化処理、メモリのマウント処理、プログラムの展開処理等の処理を行ってホットスタンバイ状態を取ることで、コンポ１０６の見た目の起動時間を短縮することが可能となる。
【００６５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６６】
本発明は、電子機器、電子機器の起動方法およびコンピュータプログラムに適用可能であり、特にホームネットワークに接続される電子機器、電子機器の起動方法および電子機器を起動させるためのコンピュータプログラムに適用可能である。
【図面の簡単な説明】
【００６７】
【図１】本発明の一実施形態にかかる電子機器の接続構成の例について説明する説明図である。
【図２】本発明の一実施形態にかかる電子機器の電源状態を説明する説明図である。
【図３】本発明の一実施形態にかかるテレビ１００構成について説明する説明図である。
【図４】本発明の一実施形態にかかるテレビ１００の起動方法について説明する流れ図である。
【図５】本発明の一実施形態にかかる、ＲＡＭ１２６に格納されている起動制御履歴の一例を示す説明図である。
【符号の説明】
【００６８】
１００    テレビ
１０２    スピーカ
１０４    ハードディスクレコーダ
１０６    コンポ
１１０    システム部
１１２    デジタル放送チューナ部
１１４    電子番組表作成部
１１６    デジタル放送デコード部
１１８    モニタ
１２０    スピーカ
１２２    ＣＰＵ
１２４    ＲＯＭ
１２６    ＲＡＭ
１２８    受光部
１３０    電源回路
１３２    電源制御部
１３４    通信部
１３６    ネットワーク監視部
【図１】
0005034787.tif 000002
【図２】
0005034787.tif 000003
【図３】
0005034787.tif 000004
【図４】
0005034787.tif 000005
【図５】
0005034787.tif 000006